(57)【要約】【課題】複数セルにおいてセル間協調送受信等を行う際の省電力効果を維持しつつ、ＣＳＩ−ＲＳ等の参照信号を送信可能にする。【解決手段】セル間協調送受信を実現するために、通信回線の空間伝搬路の状態を推定するために用いるＣＳＩ−ＲＳをＣＳＩ−ＲＳ生成部にて生成し、このＣＳＩ−ＲＳを配置部にて所定のサブフレームに配置して送信する。この際、＃０〜＃９の１０個のサブフレームを有するフレームにおいて、ＣＳＩ−ＲＳを送信不可であるサブフレーム＃０、＃５を除いたサブフレームであり、省電力化を図るための間欠通信（Ｅｘｔｅｎｄｅｄ  Ｃｅｌｌ  ＤＴＸ）を行う場合にＭＢＳＦＮサブフレームになりうるサブフレーム以外のサブフレームであるサブフレーム＃４、＃９に、ＣＳＩ−ＲＳを配置して送信する。【選択図】図１
2014147093.tif 000002
【特許請求の範囲】
【請求項１】
チャネル測定のためのＣＳＩ参照信号を含む信号を受信する受信部と、
前記受信した信号から前記ＣＳＩ参照信号を分離し、間欠通信を行わない通常モードでは、それぞれ複数のＯＦＤＭシンボルを含む複数のサブフレームのいずれかのサブフレームにおいて、少なくとも一つのＯＦＤＭシンボルに、同一のセルグループに含まれる隣接するセル同士のＣＳＩ参照信号が多重してマッピングされ、互いに異なるセルグループに含まれるセル同士のＣＳＩ参照信号は互いに異なるサブフレームにマッピングされ、前記通常モードから、間欠通信を行う間欠通信モードに移行する場合において、前記いずれかのサブフレームがＭＢＳＦＮ（Multimedia Broadcast multicast service Single Frequency Network）サブフレームになりうるサブフレームであるときは、前記いずれかのサブフレーム内における前記隣接するセル同士のＣＳＩ参照信号のマッピングパターンを保ったまま、前記隣接するセル同士のＣＳＩ参照信号のマッピング位置を前記ＭＢＳＦＮサブフレームになりうるサブフレーム以外のサブフレームに移動させることにより、ＭＢＳＦＮサブフレームになりうるサブフレーム以外のサブフレームにおいて、少なくとも一つのＯＦＤＭシンボルに前記隣接するセル同士のＣＳＩ参照信号がマッピングされている、分離部と、
前記分離されたＣＳＩ参照信号を用いて、伝搬路状態を推定する推定部と、
前記推定された伝搬路状態に関するＣＱＩ情報を送信する送信部と、
を具備する端末装置。
【請求項２】
前記複数のサブフレームのうち、前記ＭＢＳＦＮサブフレームになりうるサブフレームは上位レイヤにより決定されており、
前記受信部は、前記通常モードから前記間欠通信モードに移行する際には、ＭＢＳＦＮサブフレームとなるサブフレームを示す制御情報をさらに受信する、
請求項１記載の端末装置。
【請求項３】
前記複数のサブフレームのうち、前記ＭＢＳＦＮサブフレームになりうるサブフレーム以外のサブフレームは複数個存在し、
前記セルグループが複数個ある場合は、隣接するセルグループに含まれるセル同士のＣＳＩ参照信号は、前記ＭＢＳＦＮサブフレームになりうるサブフレーム以外の複数個のサブフレームのうち互いに異なるサブフレームにマッピングされている、
請求項１又は２に記載の端末装置。
【請求項４】
前記ＣＳＩ参照信号は、前記少なくとも一つのＯＦＤＭシンボルにおいて周波数領域で多重することによりマッピングされている、
請求項１から３のいずれか一項に記載の端末装置。
【請求項５】
前記ＣＳＩ参照信号は、前記少なくとも一つのＯＦＤＭシンボルが有する複数のサブキャリアの一部に多重することによりマッピングされている、
請求項１から４のいずれか一項に記載の端末装置。
【請求項６】
前記ＣＳＩ参照信号は、二つ以上のＯＦＤＭシンボルを用いて、周波数領域及び時間領域で多重することによりマッピングされている、
請求項１から５のいずれか一項に記載の端末装置。
【請求項７】
チャネル測定のためのＣＳＩ参照信号を含む信号を受信し、
前記受信した信号から前記ＣＳＩ参照信号を分離し、間欠通信を行わない通常モードでは、それぞれ複数のＯＦＤＭシンボルを含む複数のサブフレームのいずれかのサブフレームにおいて、少なくとも一つのＯＦＤＭシンボルに、同一のセルグループに含まれる隣接するセル同士のＣＳＩ参照信号が多重してマッピングされ、互いに異なるセルグループに含まれるセル同士のＣＳＩ参照信号は互いに異なるサブフレームにマッピングされ、前記通常モードから、間欠通信を行う間欠通信モードに移行する場合において、前記いずれかのサブフレームがＭＢＳＦＮ（Multimedia Broadcast multicast service Single Frequency Network）サブフレームになりうるサブフレームであるときは、前記いずれかのサブフレーム内における前記隣接するセル同士のＣＳＩ参照信号のマッピングパターンを保ったまま、前記隣接するセル同士のＣＳＩ参照信号のマッピング位置を前記ＭＢＳＦＮサブフレームになりうるサブフレーム以外のサブフレームに移動させることにより、ＭＢＳＦＮサブフレームになりうるサブフレーム以外のサブフレームにおいて、少なくとも一つのＯＦＤＭシンボルに前記隣接するセル同士のＣＳＩ参照信号がマッピングされており、
前記分離されたＣＳＩ参照信号を用いて、伝搬路状態を推定し、
前記推定された伝搬路状態に関するＣＱＩ情報を送信する、
通信方法。
【請求項８】
前記複数のサブフレームのうち、前記ＭＢＳＦＮサブフレームになりうるサブフレームは上位レイヤにより決定されており、
前記通常モードから前記間欠通信モードに移行する際には、ＭＢＳＦＮサブフレームとなるサブフレームを示す制御情報をさらに受信する、
請求項７記載の通信方法。
【請求項９】
前記複数のサブフレームのうち、前記ＭＢＳＦＮサブフレームになりうるサブフレーム以外のサブフレームは複数個存在し、
前記セルグループが複数個ある場合は、隣接するセルグループに含まれるセル同士のＣＳＩ参照信号は、前記ＭＢＳＦＮサブフレームになりうるサブフレーム以外の複数個のサブフレームのうち互いに異なるサブフレームにマッピングされている、
請求項７又は８に記載の通信方法。
【請求項１０】
前記ＣＳＩ参照信号は、前記少なくとも一つのＯＦＤＭシンボルにおいて周波数領域で多重することによりマッピングされている、
請求項７から９のいずれか一項に記載の通信方法。
【請求項１１】
前記ＣＳＩ参照信号は、前記少なくとも一つのＯＦＤＭシンボルが有する複数のサブキャリアの一部に多重することによりマッピングされている、
請求項７から１０のいずれか一項に記載の通信方法。
【請求項１２】
前記ＣＳＩ参照信号は、二つ以上のＯＦＤＭシンボルを用いて、周波数領域及び時間領域で多重することによりマッピングされている、
請求項７から１１のいずれか一項に記載の通信方法。
【請求項１３】
チャネル測定のためのＣＳＩ参照信号を含む信号を受信する処理と、
前記受信した信号から前記ＣＳＩ参照信号を分離し、間欠通信を行わない通常モードでは、それぞれ複数のＯＦＤＭシンボルを含む複数のサブフレームのいずれかのサブフレームにおいて、少なくとも一つのＯＦＤＭシンボルに、同一のセルグループに含まれる隣接するセル同士のＣＳＩ参照信号が多重してマッピングされ、互いに異なるセルグループに含まれるセル同士のＣＳＩ参照信号は互いに異なるサブフレームにマッピングされ、前記通常モードから、間欠通信を行う間欠通信モードに移行する場合において、前記いずれかのサブフレームがＭＢＳＦＮ（Multimedia Broadcast multicast service Single Frequency Network）サブフレームになりうるサブフレームであるときは、前記いずれかのサブフレーム内における前記隣接するセル同士のＣＳＩ参照信号のマッピングパターンを保ったまま、前記隣接するセル同士のＣＳＩ参照信号のマッピング位置を前記ＭＢＳＦＮサブフレームになりうるサブフレーム以外のサブフレームに移動させることにより、ＭＢＳＦＮサブフレームになりうるサブフレーム以外のサブフレームにおいて、少なくとも一つのＯＦＤＭシンボルに前記隣接するセル同士のＣＳＩ参照信号がマッピングされている、処理と、
前記分離されたＣＳＩ参照信号を用いて、伝搬路状態を推定する処理と、
前記推定された伝搬路状態に関するＣＱＩ情報を送信する処理と、
を制御する集積回路。
【発明の詳細な説明】
【技術分野】
【０００１】
本発明は、無線通信装置及び無線通信方法に関し、詳しくは、複数セルにおいてセル間協調送受信等を行うための端末装置、通信方法及び集積回路に関する。
【背景技術】
【０００２】
現在ＩＴＵ−Ｒ（International Telecommunication Union−Radiocommunication sector）ではＩＭＴ（International Mobile Telecommunication）−Ａｄｖａｎｃｅｄ方式を募集している。３ＧＰＰ（3rd Generation Partnership Project）では、Ｒｅｌ．８  ＬＴＥ（Release 8 Long Term Evolution）との後方互換性（Backward Compatibility）を保ちつつ、システム性能を改善するＬＴＥ−Ａｄｖａｎｃｅｄ（ＬＴＥ−Ａ）の規格標準化が行われている。
【０００３】
３ＧＰＰのＲＡＮ１では、ＬＴＥ−Ａ向けに、瞬時の干渉電力の変動に基づき多基地局間で送信電力や送信基地局を制御するセル間協調送受信（ＣｏＭＰ：Coordinated Multi−Point Transmission and Reception）が検討されている。また、ＣｏＭＰを実現するために、追加の参照信号として、下り空間情報推定用のパイロット信号（ＣＳＩ−ＲＳ：Channel State Information−Reference Signal）が検討されている。ＣＳＩ−ＲＳは、回線の空間伝搬路の周波数特性情報（Channel State Information）を推定するために用いられる参照信号である（非特許文献１参照）。ＣｏＭＰをサポートする基地局は、ＣＳＩ−ＲＳを送信することが想定されている。ここで、基地局は、セル、またはｅＮＢ（enhanced Node-B）であるとする。ＣＳＩ−ＲＳは、ＣｏＭＰのための各セルの回線推定のためにも送信される必要がある。
【０００４】
図１４に、端末（ＵＥ：User Equipment、移動局）が複数の基地局からＣｏＭＰのサポートを受ける場合の模式図を示す。端末１５１は、下り回線でＣｏＭＰの受信をするためには、複数の基地局（セル）１６１、１６２、１６３から送信されるＣＳＩ−ＲＳを受信し、正確に空間情報を推定する必要がある。
【０００５】
図１５に、ＲＡＮ１＃６０で合意されたSimulation Assumptionである、４アンテナポートで３セルまで多重できる場合のリソース配置のパターン例（Ｒ１−１０１６７６）を示す。図１５は、１サブフレームかつ１ＲＢ（リソースブロック：Resource Block）を構成するリソースを示したものであり、縦軸は周波数（Frequency）でＯＦＤＭ（Orthogonal Frequency Division Multiplexing）の各サブキャリア（１２サブキャリア）を、横軸は時間（Time）で各ＯＦＤＭシンボル（＃０〜＃１３の１４ＯＦＤＭシンボル）を示す。図中の１区画のリソース領域が１ＲＥ（Resource Element）である。図１５に示すパターン例では、第１のセルのアンテナポート０番から３番のＣＳＩ−ＲＳはＯＦＤＭシンボル＃１０の第１〜第４のサブキャリアで送信される。なお、他の第２及び第３のセルのＣＳＩ−ＲＳは、同じＯＦＤＭシンボル＃１０において他の第５〜第８、及び第９〜第１２のサブキャリアに割り当てられて送信される（非特許文献２参照）。
【０００６】
また、図１６〜図２０に、８アンテナポートで５セルまで多重できる場合の複数のリソース配置のパターン例（Ｐａｔｔｅｒｎ  １〜５）を示す。図１６〜図２０に示す例は、パターン例（Ｒ１−１００４９８）を多少修正したパターン例である（非特許文献３参照）。図１６〜図２０は、図１５と同様に１サブフレームかつ１ＲＢを構成するリソースを示したものであり、縦軸は周波数（Frequency）でＯＦＤＭの各サブキャリア（１２サブキャリア）を、横軸は時間（Time）で各ＯＦＤＭシンボル（＃０〜＃１３の１４ＯＦＤＭシンボル）を示す。これら５つのＰａｔｔｅｒｎ  １〜５を５つのセルに対応させることが可能である。
【０００７】
図１６に示すＰａｔｔｅｒｎ  １では、第１のセルのアンテナポート０番から３番のＣＳＩ−ＲＳはＯＦＤＭシンボル＃３の第１、第２、第７、第８のサブキャリアで送信され、アンテナポート４番から７番のＣＳＩ−ＲＳはＯＦＤＭシンボル＃１０の第１、第２、第７、第８のサブキャリアで送信される。図１７に示すＰａｔｔｅｒｎ  ２では、第２のセルのアンテナポート０番から３番のＣＳＩ−ＲＳはＯＦＤＭシンボル＃３の第３、第４、第９、第１０のサブキャリアで送信され、アンテナポート４番から７番のＣＳＩ−ＲＳはＯＦＤＭシンボル＃１０の第３、第４、第９、第１０のサブキャリアで送信される。図１８に示すＰａｔｔｅｒｎ  ３では、第３のセルのアンテナポート０番から３番のＣＳＩ−ＲＳはＯＦＤＭシンボル＃３の第５、第６、第１１、第１２のサブキャリアで送信され、アンテナポート４番から７番のＣＳＩ−ＲＳはＯＦＤＭシンボル＃１０の第５、第６、第１１、第１２のサブキャリアで送信される。また、図１９に示すＰａｔｔｅｒｎ  ４では、第４のセルのアンテナポート０番から３番のＣＳＩ−ＲＳはＯＦＤＭシンボル＃５の第３、第４、第９、第１０のサブキャリアで送信され、アンテナポート４番から７番のＣＳＩ−ＲＳはＯＦＤＭシンボル＃１２の第３、第４、第９、第１０のサブキャリアで送信される。図２０に示すＰａｔｔｅｒｎ  ５では、第５のセルのアンテナポート０番から３番のＣＳＩ−ＲＳはＯＦＤＭシンボル＃６の第３、第４、第９、第１０のサブキャリアで送信され、アンテナポート４番から７番のＣＳＩ−ＲＳはＯＦＤＭシンボル＃１３の第３、第４、第９、第１０のサブキャリアで送信される。
【０００８】
なお、図１５〜図２０において、ＲＥ単位で区画された各リソース領域について、ブロックＡ（斜線）はＣＲＳ（Cell-specific Reference Signal）を送信する可能性のある領域であり、ブロックＢ（密なドット）はＤＭＲＳ（DeModulation Reference Signal）を送信する可能性のある領域であり、ブロックＣ（疎なドット）はＣＳＩ-ＲＳを配置不可の領域であり、ブロックＤ（空白）は、ＣＳＩ-ＲＳを配置可能な領域をそれぞれ示している。ブロックＣにおいて、先頭の３つのＯＦＤＭシンボル＃０〜＃２はＰＤＣＣＨ（Physical Downlink Control CHannel）を送信する可能性のある領域である。
【０００９】
上述したように、端末は下り回線でＣｏＭＰの受信をするために、追加の参照信号として、各基地局から送信されるＣＳＩ−ＲＳを受信し、正確に空間情報を推定する必要があるため、各基地局の各アンテナポートのＣＳＩ−ＲＳがそれぞれ直交して送信される必要がある。直交性を保ったままＣＳＩ−ＲＳを多重するのは、１サブフレーム中に最大５セル分程度と考えられる。
【先行技術文献】
【非特許文献】
【００１０】
【非特許文献１】3GPP TR 36.814 V9.0.0 (2010-03), "3rd Generation Partnership Project; Technical Specification Group Radio Access Network; Evolved Universal Terrestrial Radio Access (E-UTRA); Further advancements for E-UTRA physical layer aspects (Release 9)"
【非特許文献２】R1-101676, Huawei, NTT DoCoMo, Nokia, Nokia Siemens Networks, ZTE, Panasonic, Texas Instruments, "CSI-RS simulation assumptions", 3GPP TSG RAN WG1 Meeting #60, February 22-26, 2010
【非特許文献３】R1-100498, NTT DoCoMo, "CSI-RS Inter-cell Design Aspects", 3GPP TSG RAN WG1 Meeting #59bis, January 18-22, 2010
【非特許文献４】3GPP TS 36.300 V9.3.0 (2010-03), "3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 9)"
【非特許文献５】R1-100144, Samsung, "Considerations on Extended Cell DTX", 3GPP TSG RAN WG1 Meeting #59bis, January 18-22, 2010
【発明の概要】
【発明が解決しようとする課題】
【００１１】
ＬＴＥ−Ａの規格標準化においては、基地局の省電力化を目的に、拡張間欠送信（Ｅｘｔｅｎｄｅｄ  Ｃｅｌｌ  ＤＴＸ（Discontinuous Transmission）が検討されている。Ｒｅｌ．８  ＬＴＥとの後方互換性を保ったまま送信ＯＦＦの期間を長くするために、ＭＢＳＦＮ（Multimedia Broadcast multicast service Single Frequency Network）サブフレームを装ったＦａｋｅ  ＭＢＳＦＮサブフレームを使ったＥｘｔｅｎｄｅｄ  Ｃｅｌｌ  ＤＴＸが検討されている。
【００１２】
ここで、ＭＢＳＦＮサブフレームについて説明する。ＭＢＳＦＮサブフレームとは、ブロードキャスト／マルチキャストサービスであるＭＢＭＳ（Multimedia Broadcast Multicast Service）向けのデータを伝送するためのサブフレームである。ブロードキャスト／マルチキャストサービスの場合、複数の基地局から同じデータを送信することが想定され、ＬＴＥやＬＴＥ−Ａの下り回線で伝送方式として用いられるＯＦＤＭの特性を活かし、複数のセルで同じ周波数を用いて伝送するsingle frequency network modeが用いられる（非特許文献４参照）。
【００１３】
通常、基地局は各サブフレームでＣＲＳを送信し、各端末はＣＲＳを受信して下り回線の品質などを測定するが、ＭＢＳＦＮサブフレームの場合、ＭＢＳＦＮサブフレームを受信しない端末は、サブフレーム先頭のＣＲＳのみを受信し、そのサブフレーム中の残りのＣＲＳについては受信しない。このため、基地局があるサブフレームについてＭＢＳＦＮを用いたサービスを実際に送信しなくても、ＭＢＳＦＮサブフレームであると端末に通知すれば、端末は先頭のＣＲＳのみ受信するだけなので、基地局も先頭のＣＲＳのみ送信すればよいことになる。これを利用して、送信電力を削減することが、Ｆａｋｅ  ＭＢＳＦＮサブフレームを利用したネットワーク省電力化（Network Energy Saving）である。
【００１４】
図２１に、Ｆａｋｅ  ＭＢＳＦＮサブフレームを使ったＥｘｔｅｎｄｅｄ  Ｃｅｌｌ  ＤＴＸを適用した時の各サブフレームの時系列のリソース配置のイメージ例を示す。図２１に示す例は、Ｒ１−１００１４４を参考に第１フレーム（first frame）及び第２フレーム（second frame）の各サブフレーム（Ｓｕｂ−ｆｒａｍｅ＃０〜＃９）を示したものである（非特許文献５参照）。図２１では、横方向が時間の経過を示し、各サブフレームイメージの上部の破線は増幅器（ＰＡ：Power Amplifier）のＯＮ／ＯＦＦを示す。また、１サブフレーム中の各ＯＦＤＭシンボルについて、ブロックＡ（左下がり斜線）はＣＲＳを送信する可能性のあるシンボルであり、ブロックＢ（密なドット）はＰＳＳ（Primary Synchronization Code）を送信する可能性のあるシンボルであり、ブロックＣ（疎なドット）はＳＳＳ（Secondary Synchronization Code）を送信する可能性のあるシンボルであり、ブロックＤ（格子）はＢＣＨ（Broadcast CHannel）を送信する可能性のあるシンボルであり、ブロックＥ（右下がり斜線）はＳＩＢ（System Information Block）を送信する可能性のあるシンボルをそれぞれ示している。
【００１５】
ＰＡの立ち上がりや立下りを考慮すると、送信シンボルがあるときだけではなく、その前後でも電力が必要になる。したがって、Ｓｕｂ−ｆｒａｍｅ＃４，＃９のように送信シンボル数が少なくとも時間的に分散している場合、省電力効果は低くなる。一方、一点鎖線の枠で囲んだＳｕｂ−ｆｒａｍｅ＃１，＃２，＃３，＃６，＃７，＃８にＦａｋｅ  ＭＢＳＦＮを適用して先頭シンボルのみ送信する場合は、省電力効果が高い。ここで、下り回線でＣｏＭＰを実現するために、基地局から追加の参照信号としてＣＳＩ−ＲＳを送信する場合、図２１においてＣＲＳ等を送信する可能性のあるシンボルを除いた空白のシンボルにＣＳＩ−ＲＳを配置して送信する必要がある。しかしながら、Ｆａｋｅ  ＭＢＳＦＮを適用したサブフレームでＣＳＩ−ＲＳを送信すると、省電力効果が低下するという課題が生じる。
【００１６】
本発明は、上記事情に鑑みてなされたもので、その目的は、省電力効果を維持しつつ、ＣＳＩ−ＲＳ等の参照信号を送信可能にすることにある。
【課題を解決するための手段】
【００１７】
本発明は、チャネル測定のためのＣＳＩ参照信号を含む信号を受信する受信部と、前記受信した信号から前記ＣＳＩ参照信号を分離し、間欠通信を行わない通常モードでは、それぞれ複数のＯＦＤＭシンボルを含む複数のサブフレームのいずれかのサブフレームにおいて、少なくとも一つのＯＦＤＭシンボルに、同一のセルグループに含まれる隣接するセル同士のＣＳＩ参照信号が多重してマッピングされ、互いに異なるセルグループに含まれるセル同士のＣＳＩ参照信号は互いに異なるサブフレームにマッピングされ、前記通常モードから、間欠通信を行う間欠通信モードに移行する場合において、前記いずれかのサブフレームがＭＢＳＦＮ（Multimedia Broadcast multicast service Single Frequency Network）サブフレームになりうるサブフレームであるときは、前記いずれかのサブフレーム内における前記隣接するセル同士のＣＳＩ参照信号のマッピングパターンを保ったまま、前記隣接するセル同士のＣＳＩ参照信号のマッピング位置を前記ＭＢＳＦＮサブフレームになりうるサブフレーム以外のサブフレームに移動させることにより、ＭＢＳＦＮサブフレームになりうるサブフレーム以外のサブフレームにおいて、少なくとも一つのＯＦＤＭシンボルに前記隣接するセル同士のＣＳＩ参照信号がマッピングされている、分離部と、前記分離されたＣＳＩ参照信号を用いて、伝搬路状態を推定する推定部と、前記推定された伝搬路状態に関するＣＱＩ情報を送信する送信部と、を具備する端末装置を提供する。
【００１８】
本発明は、チャネル測定のためのＣＳＩ参照信号を含む信号を受信し、前記受信した信号から前記ＣＳＩ参照信号を分離し、間欠通信を行わない通常モードでは、それぞれ複数のＯＦＤＭシンボルを含む複数のサブフレームのいずれかのサブフレームにおいて、少なくとも一つのＯＦＤＭシンボルに、同一のセルグループに含まれる隣接するセル同士のＣＳＩ参照信号が多重してマッピングされ、互いに異なるセルグループに含まれるセル同士のＣＳＩ参照信号は互いに異なるサブフレームにマッピングされ、前記通常モードから、間欠通信を行う間欠通信モードに移行する場合において、前記いずれかのサブフレームがＭＢＳＦＮ（Multimedia Broadcast multicast service Single Frequency Network）サブフレームになりうるサブフレームであるときは、前記いずれかのサブフレーム内における前記隣接するセル同士のＣＳＩ参照信号のマッピングパターンを保ったまま、前記隣接するセル同士のＣＳＩ参照信号のマッピング位置を前記ＭＢＳＦＮサブフレームになりうるサブフレーム以外のサブフレームに移動させることにより、ＭＢＳＦＮサブフレームになりうるサブフレーム以外のサブフレームにおいて、少なくとも一つのＯＦＤＭシンボルに前記隣接するセル同士のＣＳＩ参照信号がマッピングされており、前記分離されたＣＳＩ参照信号を用いて、伝搬路状態を推定し、前記推定された伝搬路状態に関するＣＱＩ情報を送信する、通信方法を提供する。
【００１９】
本発明は、チャネル測定のためのＣＳＩ参照信号を含む信号を受信する処理と、前記受信した信号から前記ＣＳＩ参照信号を分離し、間欠通信を行わない通常モードでは、それぞれ複数のＯＦＤＭシンボルを含む複数のサブフレームのいずれかのサブフレームにおいて、少なくとも一つのＯＦＤＭシンボルに、同一のセルグループに含まれる隣接するセル同士のＣＳＩ参照信号が多重してマッピングされ、互いに異なるセルグループに含まれるセル同士のＣＳＩ参照信号は互いに異なるサブフレームにマッピングされ、前記通常モードから、間欠通信を行う間欠通信モードに移行する場合において、前記いずれかのサブフレームがＭＢＳＦＮ（Multimedia Broadcast multicast service Single Frequency Network）サブフレームになりうるサブフレームであるときは、前記いずれかのサブフレーム内における前記隣接するセル同士のＣＳＩ参照信号のマッピングパターンを保ったまま、前記隣接するセル同士のＣＳＩ参照信号のマッピング位置を前記ＭＢＳＦＮサブフレームになりうるサブフレーム以外のサブフレームに移動させることにより、ＭＢＳＦＮサブフレームになりうるサブフレーム以外のサブフレームにおいて、少なくとも一つのＯＦＤＭシンボルに前記隣接するセル同士のＣＳＩ参照信号がマッピングされている、処理と、前記分離されたＣＳＩ参照信号を用いて、伝搬路状態を推定する処理と、前記推定された伝搬路状態に関するＣＱＩ情報を送信する処理と、を制御する集積回路を提供する。
【発明の効果】
【００２０】
本発明によれば、省電力効果を維持しつつ、ＣＳＩ−ＲＳ等の参照信号を送信可能にすることができる。
【図面の簡単な説明】
【００２１】
【図１】本実施形態の無線通信システムにおける送信信号のフレーム（frame）とサブフレーム（sub-frame）の概略構成を示す図
【図２】第１の実施形態におけるサブフレーム中のＣＳＩ−ＲＳの第１配置例を示す図
【図３】第１の実施形態におけるサブフレーム中のＣＳＩ−ＲＳの第２配置例を示す図
【図４】第１の実施形態における基地局の構成を示すブロック図
【図５】第１の実施形態における端末の構成を示すブロック図
【図６】第２の実施形態における通常時のフレーム内のＣＳＩ−ＲＳを送信するサブフレームの配置例を示す図
【図７】第２の実施形態におけるＥｘｔｅｎｄｅｄ  Ｃｅｌｌ  ＤＴＸ実行時のフレーム内のＣＳＩ−ＲＳを送信するサブフレームの配置例を示す図
【図８】第２の実施形態における基地局の構成を示すブロック図
【図９】第２の実施形態における端末の構成を示すブロック図
【図１０】通常時からＥｘｔｅｎｄｅｄ  Ｃｅｌｌ  ＤＴＸ実行時へ移行する際の各サブフレームへのＣＳＩ−ＲＳの配置の遷移を示す図
【図１１】第３の実施形態におけるＥｘｔｅｎｄｅｄ  Ｃｅｌｌ  ＤＴＸ実行時の複数フレームにおいてＣＳＩ−ＲＳを送信するサブフレームの配置例を示す図
【図１２】第３の実施形態における基地局の構成を示すブロック図
【図１３】第３の実施形態における端末の構成を示すブロック図
【図１４】端末が複数の基地局からＣｏＭＰのサポートを受ける場合の模式図
【図１５】４アンテナポートで３セルまで多重できる場合のリソース配置のパターン例を示す図
【図１６】８アンテナポートで５セルまで多重できる場合のリソース配置のパターン例（Ｐａｔｔｅｒｎ  １）を示す図
【図１７】８アンテナポートで５セルまで多重できる場合のリソース配置のパターン例（Ｐａｔｔｅｒｎ  ２）を示す図
【図１８】８アンテナポートで５セルまで多重できる場合のリソース配置のパターン例（Ｐａｔｔｅｒｎ  ３）を示す図
【図１９】８アンテナポートで５セルまで多重できる場合のリソース配置のパターン例（Ｐａｔｔｅｒｎ  ４）を示す図
【図２０】８アンテナポートで５セルまで多重できる場合のリソース配置のパターン例（Ｐａｔｔｅｒｎ  ５）を示す図
【図２１】Ｆａｋｅ  ＭＢＳＦＮサブフレームを使ったＥｘｔｅｎｄｅｄ  Ｃｅｌｌ  ＤＴＸを適用した時の各サブフレームの時系列のリソース配置のイメージ例を示す図
【発明を実施するための形態】
【００２２】
本実施形態では、本発明に係る無線通信装置及び無線通信方法を適用する無線通信システムとして、携帯電話等の移動体通信用のセルラーシステムにおける構成例を示す。ここでは、従来より用いられる参照信号とともに用いる追加の参照信号として、ＬＴＥ−Ａにおいて検討されているＣＳＩ−ＲＳを送信する場合を例示する。ＣＳＩ−ＲＳは、各セルにおいて送信されるＣＲＳ等の参照信号に加えて、ＣｏＭＰを実現するために複数セルにおいて送信される参照信号であり、通信回線の空間伝搬路の状態（ＬＴＥ−ＡにおいてはＣＳＩ）を推定するために用いられる。また、本実施形態では、無線通信システムにおいて、間欠通信を行って省電力化を図る場合を想定する。間欠通信としては、ＬＴＥ−Ａにおいて検討されているＥｘｔｅｎｄｅｄ  Ｃｅｌｌ  ＤＴＸを行う場合を例示する。Ｅｘｔｅｎｄｅｄ  Ｃｅｌｌ  ＤＴＸでは、間欠通信を行う場合の間欠通信適用サブフレームとして、ＭＢＳＦＮサブフレームが利用される。
【００２３】
（第１の実施形態）
第１の実施形態は、追加の参照信号であるＣＳＩ−ＲＳの配置の第１例を示すものであり、Ｅｘｔｅｎｄｅｄ  Ｃｅｌｌ  ＤＴＸ（間欠通信）を行う際にＭＢＳＦＮサブフレーム（間欠通信適用サブフレーム）になりうるサブフレーム以外のサブフレームでＣＳＩ−ＲＳを送信するようにしたものである。
【００２４】
図１は、本実施形態の無線通信システムにおける送信信号のフレーム（frame）とサブフレーム（sub-frame）の概略構成を示す図である。図１の例は、セルラーシステムにおいて基地局（セル）から端末への下り方向の送信信号のフレーム構成を示したもので、横軸は時間（Time）である。
【００２５】
図１の上部に示す通り、１つのフレームは１０個のサブフレームで構成される。１サブフレームは例えば１ｍｓ、１フレームは例えば１０ｍｓである。フレーム中のサブフレームにはそれぞれサブフレーム番号（Ｓｕｂ−ｆｒａｍｅ＃０〜＃９）が振られ、識別される。これまでの３ＧＰＰにおける議論において、図２１にも示したように、サブフレーム＃０と＃５ではＣＳＩ−ＲＳを送信しないことになっており、図１では左下がり斜線のブロックのサブフレームで表している。また、Ｅｘｔｅｎｄｅｄ  Ｃｅｌｌ  ＤＴＸを行う際に、Ｆａｋｅ  ＭＢＳＦＮサブフレームを利用した省電力化を行うためには、ＭＢＳＦＮサブフレームになりうるサブフレームを利用する。このとき、サブフレーム＃４と＃９はＭＢＳＦＮサブフレームになりえず、図１では横縞のブロックのサブフレームで表している。その他のサブフレームはＭＢＳＦＮサブフレームになりうるサブフレームであり、図１では疎なドットのブロックのサブフレームで表している。ＭＢＳＦＮサブフレームになりうるサブフレームでは、ＭＢＳＦＮである旨の通知をしておけば、先頭のＣＲＳのみを送信すればよいことになる。本実施形態では、ＭＢＳＦＮサブフレームになりうるサブフレーム以外のサブフレーム、すなわちＭＢＳＦＮサブフレームになりえず、ＣＳＩ−ＲＳを送信可能なサブフレーム＃４と＃９にＣＳＩ−ＲＳを配置する。この場合、あるセルのＣＳＩ−ＲＳは、例えば１フレーム毎、すなわち１０ｍｓ間隔で送信される。なお、ＣＳＩ−ＲＳの送信間隔を大きくして２０ｍｓ間隔、４０ｍｓ間隔などとしてもよい。
【００２６】
図１の下部は、サブフレーム＃４と＃９の構成を示したもので、これらのサブフレームの時系列のリソース配置のイメージである。サブフレーム＃４と＃９はＭＢＳＦＮサブフレームになりえず、そのためＦａｋｅ  ＭＢＳＦＮサブフレームを利用したＣＲＳ送信の削減ができない。従って、アンテナポートを４以上持つ場合は、図１の下部に示すように、少なくともＯＦＤＭシンボル＃０、＃１、＃４、＃７、＃８、＃１１（左下がり斜線で示すブロックのシンボル）はＣＲＳの送信信号が存在することになる。この場合、送信信号が時間方向に分散して存在しているため、仮にＣＲＳ以外の送信信号が無かったとしても、頻繁に増幅器（ＰＡ）をＯＮ／ＯＦＦすることになり、省電力効果があまり高くない。このようにサブフレーム＃４と＃９では省電力効果が見込めないため、ＣＳＩ−ＲＳを送信する場合、送るべき信号はサブフレーム＃４と＃９で送信し、他のサブフレームに配置しないようにすることで、システム全体としての省電力効果は高まる。
【００２７】
図２は、第１の実施形態におけるサブフレーム中のＣＳＩ−ＲＳの第１配置例を示す図である。図２の第１配置例は、ＣＳＩ−ＲＳをＯＦＤＭシンボル＃１０で送信する場合のサブフレーム＃４と＃９のリソース配置のイメージを示したものである。上述したように、サブフレーム＃４と＃９では、ＣＲＳはＯＦＤＭシンボル＃０、＃１、＃４、＃７、＃８、＃１１（左下がり斜線で示すブロックのシンボル）で送信される。この場合、ＣＳＩ−ＲＳは、図１５に示したように、ＯＦＤＭシンボル＃１０（縦縞で示すブロックのシンボル）において、複数アンテナポートのＣＳＩ−ＲＳが周波数領域で直交多重され、他の基地局（セル）が送信するＣＳＩ−ＲＳは同じＯＦＤＭシンボル＃１０の他のＲＥ（他のサブキャリア）を用いて送信される。
【００２８】
図３は、第１の実施形態におけるサブフレーム中のＣＳＩ−ＲＳの第２配置例を示す図である。図３の第２配置例は、ＣＳＩ−ＲＳをＯＦＤＭシンボル｛＃３，＃１０｝、｛＃５，＃１２｝、｛＃６，＃１３｝で送信する場合のサブフレーム＃４と＃９のリソース配置のイメージを示したものである。この場合、ＣＳＩ−ＲＳは、図１６〜図２０に示したように、ＯＦＤＭシンボル｛＃３，＃１０｝、｛＃５，＃１２｝、｛＃６，＃１３｝において、同じＯＦＤＭシンボルにおける周波数領域多重、あるいは、別のＯＦＤＭシンボルによる時間領域多重を用いて、複数アンテナポートまたは基地局（セル）が送信するＣＳＩ−ＲＳが直交多重される。
【００２９】
このように、第１の実施形態では、ＣｏＭＰ等を行うために追加の参照信号であるＣＳＩ−ＲＳを送信する場合に、Ｆａｋｅ  ＭＢＳＦＮサブフレームを使ったＥｘｔｅｎｄｅｄ  Ｃｅｌｌ  ＤＴＸを行う際にＭＢＳＦＮサブフレームになりうるサブフレーム以外のサブフレーム、具体的にはサブフレーム＃４と＃９を用いてＣＳＩ−ＲＳを送信する。これにより、Ｅｘｔｅｎｄｅｄ  Ｃｅｌｌ  ＤＴＸを行って省電力化を図る場合に、省電力効果を維持しながら、ＣＳＩ−ＲＳを送信可能である。したがって、基地局から端末にＣＳＩ−ＲＳを送信する際の省電力化を図ることができる。
【００３０】
以下に、本実施形態における無線通信装置の構成の一例として、基地局と端末（移動局）の構成について説明する。
【００３１】
＜基地局の構成及び動作＞
図４は、第１の実施形態における基地局１００の構成を示すブロック図である。基地局（基地局装置）１００は、設定部１０１、制御部１０２、ＣＲＳ生成部１０４、ＣＳＩ−ＲＳ生成部１０５、変調部１０６、配置部１０７、ＩＦＦＴ（Inverse Fast Fourier Transform）部１０８、ＣＰ（Cyclic Prefix）付加部１０９、分配部１１２、複数（ここではＭ個）の送信ＲＦ（Radio Frequency）部１１０−１〜１１０−Ｍ、複数（ここではＭ本）のアンテナ１１１−１〜１１１−Ｍを備える。
【００３２】
設定部１０１は、例えば、ＣＲＳを生成することを設定（configure）し、ＣｏＭＰをサポートするためにＣＳＩ−ＲＳを送信する必要がある場合は、ＣＳＩ−ＲＳを生成することを設定する。設定部１０１は、これら設定情報を制御部１０２、ＣＲＳ生成部１０４、ＣＳＩ−ＲＳ生成部１０５に出力する。
【００３３】
制御部１０２は、設定部１０１から入力される設定情報に基づき、配置部１０７における各リソース配置、及び分配部１１２における送信信号の分配を制御する。また、制御部１０２は、自セル内または近傍セル内の端末に対してＣＳＩ−ＲＳの配置情報を含む設定情報を通知するために、設定情報を上位レイヤの制御信号として送信するよう、配置部１０７に出力する。
【００３４】
ＣＲＳ生成部１０４は、設定部１０１から入力される設定情報に基づき、ＣＲＳを生成する。そして、ＣＲＳ生成部１０４は、生成したＣＲＳを配置部１０７に出力する。
【００３５】
ＣＳＩ−ＲＳ生成部１０５は、参照信号生成部の機能を実現するものであり、設定部１０１から入力される設定情報に基づき、ＣＳＩ−ＲＳを生成する。そして、ＣＳＩ−ＲＳ生成部１０５は、生成したＣＳＩ−ＲＳを配置部１０７に出力する。
【００３６】
変調部１０６は、入力される送信データ（下り回線データ）をチャネル符号化及び変調して、変調後のデータ信号を配置部１０７に出力する。
【００３７】
配置部１０７は、ＣＲＳ生成部１０４から入力されるＣＲＳと、ＣＳＩ−ＲＳ生成部１０５から入力されるＣＳＩ−ＲＳと、変調部１０６から入力されるデータ信号（つまり、ＰＤＳＣＨ：Physical Downlink Shared CHannel）とを多重する。また、配置部１０７は、制御部１０２から設定情報を通知するための上位レイヤの制御信号がある場合、その制御信号の情報をデータ信号（ＰＤＳＣＨ）に配置する。ここで、配置部１０７は、ＣＲＳ、ＣＳＩ−ＲＳ、及びデータ信号（ＰＤＳＣＨ）を下り回線の各リソースブロックに配置（多重）する。その際に、配置部１０７は、ＣＳＩ−ＲＳがサブフレーム＃４または＃９に配置されるように多重する。配置部１０７でのＣＳＩ−ＲＳ等の配置は、例えば、図２、図３に示す配置例が考えられる。そして、配置部１０７は、多重された信号をＩＦＦＴ部１０８に出力する。
【００３８】
ＩＦＦＴ部１０８は、配置部１０７から入力される信号にＩＦＦＴ処理を行い、時間領域の信号を取得する。そして、ＩＦＦＴ部１０８は、時間領域の信号をＣＰ付加部１０９に出力する。
【００３９】
ＣＰ付加部１０９は、ＩＦＦＴ部１０８から入力される時間領域の信号にＣＰを付加し、ＣＰ付加後の信号を分配部１１２に出力する。分配部１１２は、制御部１０２の制御に従って、送信ＲＦ部１１０−１〜１１０−Ｍに、それぞれ対応する信号を出力する。分配部１１２には、送信アンテナＭ本分全ての信号が入力され、各アンテナに対応して信号が分配される。
【００４０】
送信ＲＦ部１１０−１〜１１０−Ｍは、それぞれ、分配部１１２から入力される信号にＤ／Ａ（Digital to Analog）変換、アップコンバート、増幅等の送信処理を施し、送信処理を施した信号をアンテナ１１１−１〜１１１−Ｍから送信無線信号（ここでは、ＯＦＤＭ信号）として送信出力する。この送信無線信号は、端末へ無線送信される。ここで、送信ＲＦ部１１０−１〜１１０−Ｍ、アンテナ１１１−１〜１１１−Ｍが送信部の機能を実現する。
【００４１】
＜端末（移動局）の構成及び動作＞
図５は、第１の実施形態における端末２００の構成を示すブロック図である。端末（移動局装置）２００は、複数（ここではＮ本）のアンテナ２０１−１〜２０１−Ｎ、複数（ここではＮ個）の受信ＲＦ部２０２−１〜２０２−Ｎ、集約部２１８、ＣＰ除去部２０３、ＦＦＴ（Fast Fourier Transform）部２０４、分離部２０５、ＣＲＳ受信回線推定部２０６、ＣＳＩ−ＲＳ受信空間情報推定部２０７、ＰＤＳＣＨ受信部２０８、回線品質情報生成部２１５、空間情報生成部２１６、設定情報受信部２１７、変調部２０９、ＤＦＴ（Discrete Fourier Transform）部２１０、配置部２１１、ＩＦＦＴ部２１２、ＣＰ付加部２１３、分配部２１９、複数（ここではＮ個）の送信ＲＦ部２１４−１〜２１４−Ｎを備える。ここで、アンテナ、送信ＲＦ部、受信ＲＦ部を総称して、ＲＦブロックと呼ぶ。図示例のようにアンテナ数Ｎの場合、端末２００にはＮ個のＲＦブロック２２０−１〜２２０−Ｎが存在する。これらのＲＦブロック２２０−１〜２２０−Ｎが受信部の機能を実現する。
【００４２】
受信ＲＦ部２０２−１〜２０２−Ｎは、受信帯域を変更可能に構成されており、受信信号に応じて、受信帯域を変更する。そして、受信ＲＦ部２０２−１〜２０２−Ｎは、アンテナ２０１−１〜２０１−Ｎを介して受信した受信無線信号（ここでは、ＯＦＤＭ信号）に対して受信無線処理（ダウンコンバート、Ａ／Ｄ（Analog to Digital）変換など）を施し、得られた受信信号を集約部２１８に出力する。集約部２１８は、各ＲＦブロック２２０−１〜２２０−Ｎから入力された受信信号を集約し、ＣＰ除去部２０３に出力する。
【００４３】
ＣＰ除去部２０３は、ＲＦブロック２２０−１〜２２０−Ｎの受信ＲＦ部２０２−１〜２０２−Ｎから入力される受信信号からＣＰを除去し、ＣＰ除去後の信号をＦＦＴ部２０４に出力する。
【００４４】
ＦＦＴ部２０４は、ＣＰ除去部２０３から入力される信号にＦＦＴ処理を行い周波数領域の信号を取得する。そして、ＦＦＴ部２０４は、周波数領域の信号を分離部２０５に出力する。
【００４５】
分離部２０５は、ＦＦＴ部２０４から入力される周波数領域の信号を、ＣＲＳ、ＣＳＩ−ＲＳ、及びデータ信号（つまり、ＰＤＳＣＨ）に分離する。また、分離部２０５は、１つ以上前のサブフレームで受信した設定情報に基づき、ＣＲＳをＣＲＳ受信回線推定部２０６に出力し、ＣＳＩ−ＲＳをＣＳＩ−ＲＳ受信空間情報推定部２０７に出力し、ＰＤＳＣＨをＰＤＳＣＨ受信部２０８に出力する。さらに、分離部２０５は、設定情報を含む上位レイヤの制御信号を取得し、設定情報受信部２１７に出力する。
【００４６】
設定情報受信部２１７は、分離部２０５から入力される制御信号から、ＣＳＩ−ＲＳの配置情報を含む設定情報を読み取り、分離部２０５に出力する。そして、分離部２０５は、設定情報におけるＣＳＩ−ＲＳの配置情報に基づき、所定のサブフレームに配置されたＣＳＩ−ＲＳを分離して抽出する。さらに、設定情報受信部２１７は、ＣＳＩ−ＲＳを受信復調するための逆拡散用符号などの設定情報をＣＳＩ−ＲＳ受信空間情報推定部２０７に出力する。
【００４７】
ＣＲＳ受信回線推定部２０６は、分離部２０５から入力されるＣＲＳにより、基地局から自装置に送信された下り回線の推定を行い、その下り回線の回線推定値を回線品質情報生成部２１５に出力する。回線品質情報生成部２１５は、ＣＲＳ受信回線推定部２０６から入力された回線推定値に基づき、基地局に報告するための回線品質情報を生成する。ここで生成される回線品質情報とは、例えば、ＣＱＩ（Channel Quality Indicator）などである。
【００４８】
ＣＳＩ−ＲＳ受信空間情報推定部２０７は、空間推定部の機能を実現するものであり、設定情報受信部２１７から入力されるＣＳＩ−ＲＳの設定情報を用いて、分離部２０５から入力されるＣＳＩ−ＲＳにより、基地局から自装置に送信された下り回線の空間情報推定を行う。そして、ＣＳＩ−ＲＳ受信空間情報推定部２０７は、下り回線の空間推定情報を空間情報生成部２１６に入力する。空間情報生成部２１６は、ＣＳＩ−ＲＳ受信空間情報推定部２０７から入力された空間推定情報に基づき、基地局に報告するための空間情報を生成する。なお、この空間情報推定は、自装置が通信を行っている基地局のみに対して行うのではなく、ＣｏＭＰの対象となる周辺の他の基地局に対しても行う。
【００４９】
ＰＤＳＣＨ受信部２０８は、分離部２０５から入力されるＰＤＳＣＨを復調及びチャネル復号化し、受信データを取得する。
【００５０】
変調部２０９は、入力される送信データ（上り回線データ）をチャネル符号化及び変調して、変調後のデータ信号をＤＦＴ部２１０に出力する。
【００５１】
ＤＦＴ部２１０は、変調部２０９から入力されるデータ信号にＤＦＴ処理を行い周波数領域の信号を取得する。そして、ＤＦＴ部２１０は、周波数領域の信号を配置部２１１に出力する。
【００５２】
配置部２１１は、回線品質情報生成部２１５か入力される回線品質情報、空間情報生成部２１６から入力される空間情報、及びＤＦＴ部２１０から入力される周波数領域の信号を、上り回線のリソースブロックに配置する。
【００５３】
ＩＦＦＴ部２１２は、配置部２１１から入力される周波数領域の信号にＩＦＦＴ処理を行い、時間領域の信号を取得する。そして、ＩＦＦＴ部２１２は、時間領域の信号をＣＰ付加部２１３に出力する。
【００５４】
ＣＰ付加部２１３は、ＩＦＦＴ部２１２から入力される時間領域の信号にＣＰを付加し、ＣＰ付加後の信号を分配部２１９に出力する。分配部２１９は、ＲＦブロック２２０−１〜２２０−Ｎの送信ＲＦ部２１４−１〜２１４−Ｎに、それぞれ対応する信号を出力する。分配部２１９には、送信アンテナＮ本分全ての信号が入力され、各アンテナに対応して信号が分配される。
【００５５】
送信ＲＦ部２１４−１〜２１４−Ｎは、それぞれ、分配部２１９から入力される信号にＤ／Ａ（Digital to Analog）変換、アップコンバート、増幅等の送信処理を施し、送信処理を施した信号をアンテナ２０１−１〜２０１−Ｎから送信無線信号として送信出力する。この送信無線信号は、基地局へ無線送信される。
【００５６】
第１の実施形態によれば、基地局において、Ｅｘｔｅｎｄｅｄ  Ｃｅｌｌ  ＤＴＸを行う際にＭＢＳＦＮサブフレームになりうるサブフレーム以外のサブフレームでＣＳＩ−ＲＳを送信することにより、Ｆａｋｅ  ＭＢＳＦＮサブフレームを用いた省電力効果を損なわず、ＣＳＩ−ＲＳを送信することができる。この際、基地局から端末にＭＢＳＦＮである旨の通知をするだけで、ＭＢＳＦＮに対応可能な端末はＭＢＳＦＮサブフレームと他のサブフレームを識別可能であり、ＣＳＩ−ＲＳを適切に受信できる。そして、端末において、受信したＣＳＩ−ＲＳに基づき、下り回線の空間情報推定を行い、現在通信中の基地局、及びＣｏＭＰの対象となる周辺の基地局に報告する空間情報を生成することができる。
【００５７】
（第２の実施形態）
第２の実施形態は、追加の参照信号であるＣＳＩ−ＲＳの配置の第２例を示すものであり、ＣＳＩ−ＲＳの多重数を確保するために、Ｅｘｔｅｎｄｅｄ  Ｃｅｌｌ  ＤＴＸを行わない通常時には、ＭＢＳＦＮサブフレームになりうるサブフレームも含めてＣＳＩ−ＲＳを送信し、Ｅｘｔｅｎｄｅｄ  Ｃｅｌｌ  ＤＴＸを行う際には、ＭＢＳＦＮサブフレームになりえないサブフレームでＣＳＩ−ＲＳを送信するようにしたものである。この際、ＣＳＩ−ＲＳの直交性が崩れた場合の干渉は距離が離れるに従って小さくなることに着目し、セルの配置を考慮して、セル間の距離に応じて複数セルのＣＳＩ−ＲＳを多重する。      
【００５８】
ＣＳＩ−ＲＳを送信するサブフレームをサブフレーム＃４と＃９に限定すると、セル間の直交性を保ったまま多重できるＣＳＩ−ＲＳ数が小さくなる。Ｆａｋｅ  ＭＢＳＦＮサブフレームを用いたＥｘｔｅｎｄｅｄ  Ｃｅｌｌ  ＤＴＸを行わない場合は、各サブフレーム中に５セル分のＣＳＩ−ＲＳが多重できるとして、サブフレーム＃０と＃５以外で５セル×８サブフレーム＝４０セル分が直交性を保ったまま多重できる。しかし、サブフレーム＃４と＃９のみになると、５セル×２サブフレーム＝１０セル分のみのＣＳＩ−ＲＳしか多重できなくなる。ＣＳＩ−ＲＳは、ＣｏＭＰ用の回線推定（空間情報推定）に使われ、他のセルの端末でも回線推定を行うため、近接しているセル同士、特に隣接するセル間の直交性を保つ必要がある。
【００５９】
上記課題に対応するべく、第２の実施形態では、通常時において、近接しているセル同士は同じサブフレーム内で別のＲＥを用いてＣＳＩ−ＲＳを直交させて多重し、それ以外の離れたセル同士は別のサブフレームでＣＳＩ−ＲＳを多重する。すなわち、通常時は、サブフレーム＃４と＃９に加えて、ＭＢＳＦＮサブフレームになりうるサブフレームも用いてＣＳＩ−ＲＳを送信する。Ｅｘｔｅｎｄｅｄ  Ｃｅｌｌ  ＤＴＸを行う際は、サブフレーム内の直交性を保ったまま、ＭＢＳＦＮサブフレームになりうるサブフレーム（サブフレーム＃１、＃２、＃３、＃６、＃７、＃８）からそれ以外のサブフレーム（サブフレーム＃４または＃９）にＣＳＩ−ＲＳを移してマッピングする。なお、ＭＢＳＦＮサブフレームになりうるサブフレームからそれ以外のサブフレームへのＣＳＩ−ＲＳの配置の移行は、セルの配置に応じて各サブフレームのＣＳＩ−ＲＳの配置とその移行タイミングを適宜設定してもよい。
【００６０】
図６は、第２の実施形態における通常時のフレーム内のＣＳＩ−ＲＳを送信するサブフレームの配置例を示す図である。通常時、すなわちＦａｋｅ  ＭＢＳＦＮサブフレームを適用したＥｘｔｅｎｄｅｄ  Ｃｅｌｌ  ＤＴＸを行っていない場合は、同じサブフレーム内では、近接しているセル同士、特に最も近接している（隣接する）セル同士のＣＳＩ−ＲＳを直交させて多重し、それ以外のセル同士のＣＳＩ−ＲＳは別のサブフレームで多重するものとする。図示例では、サブフレーム＃１等の同一サブフレームにおいて直近のセル同士のＣＳＩ−ＲＳを多重し、サブフレーム＃１、＃２、＃３、＃４等の異なるサブフレームにおいて他の離れたセル同士のＣＳＩ−ＲＳを多重する。ここで、同じサブフレーム内に多重させるセルをＣＳＩ−ＲＳグループと呼ぶことにする。基本的に、直近のセル同士のＣＳＩ−ＲＳが同じサブフレームで多重されるのであれば、それ以外の制約はないが、セル間の距離が離れるにつれて、時間的に離れたサブフレームでＣＳＩ−ＲＳを多重するようにするにしてもよい。
【００６１】
図７は、第２の実施形態におけるＥｘｔｅｎｄｅｄ  Ｃｅｌｌ  ＤＴＸ実行時のフレーム内のＣＳＩ−ＲＳを送信するサブフレームの配置例を示す図である。Ｆａｋｅ  ＭＢＳＦＮサブフレームを適用してＥｘｔｅｎｄｅｄ  Ｃｅｌｌ  ＤＴＸモードになった場合は、Ｆａｋｅ  ＭＢＳＦＮサブフレームとなるサブフレームで送信されていたＣＳＩ−ＲＳは、当該サブフレーム内のＣＳＩ−ＲＳ同士の直交性を保ったまま（サブフレーム内の相対的ＣＳＩ−ＲＳ多重配置を保ったまま）で、ＭＢＳＦＮサブフレームになりえないサブフレーム、すなわちサブフレーム＃４または＃９に移行させてマッピングする。つまり、ＣＳＩ−ＲＳグループ内で直交性を保持したまま、このＣＳＩ−ＲＳグループを割り当てるサブフレームをサブフレーム＃４または＃９に移す。
【００６２】
サブフレーム＃４または＃９にマッピングする際は、サブフレーム内のＣＳＩ−ＲＳ同士の直交性が保たれていれば、それ以外の制約は不要だが、最も簡単なのは、同じサブフレーム内のリソース配置パターンを維持したままマッピングする方法である。また、サブフレーム＃４または＃９のいずれかにマッピングするようにしても構わないが、フレーム前半のサブフレーム（サブフレーム＃１〜＃３）はサブフレーム＃４に、フレーム後半のサブフレーム（サブフレーム＃６〜＃８）はサブフレーム＃９にマッピングさせるのが簡単である。この場合、基地局は、ＭＢＳＦＮサブフレームに移行するサブフレーム番号のみを通知するだけで、当該サブフレームでＣＳＩ−ＲＳを受信していた端末は、元々フレーム前半でＣＳＩ−ＲＳを受信していたのであれば単にサブフレーム＃４の同じＲＥで、元々後半でＣＳＩ−ＲＳを受信していたのであれば単にサブフレーム＃９の同じＲＥで、ＣＳＩ−ＲＳを受信することができる。
【００６３】
ＭＢＳＦＮサブフレームに移行するサブフレーム番号については、上位レイヤの制御信号であるRRC (Radio Resource Control) information elementsのＳＩＢ２（System Information Block Type2）に含まれるMBSFN-SubframeConfigで通知される。MBSFN-SubframeConfigにおいて、subframeAllocationとして、ＭＢＳＦＮサブフレームとなるサブフレームが通知される（下記参考非特許文献１参照）。
【００６４】
subframeAllocationには１フレーム用のoneFrameと４フレーム用のfourFramesがあり、いずれかが用いられる。oneFrameの場合、１フレーム中ＭＢＳＦＮサブフレームに適用可能な６サブフレーム分についてＭＢＳＦＮサブフレームにするか通常のｎｏｎ−ＭＢＳＦＮサブフレームにするかが１サブフレーム単位で通知される。fourFramesの場合、４フレーム中ＭＢＳＦＮサブフレームに適用可能な２４サブフレーム分について１サブフレーム単位で通知される。また、radioframeAllocationPeriodとして、ＭＢＳＦＮサブフレームが送信されるフレーム間隔が設定される。radioframeAllocationPeriodは、ｎ１，ｎ２，ｎ４，ｎ８，ｎ１６，ｎ３２とあり、例えば、ｎ１であれば１フレーム間隔、ｎ２であれば２フレーム間隔となる。但し、radioframeAllocationPeriodのｎ１とｎ２が用いられるのはsubframeAllocationがoneFrameの場合に限られ、fourFramesに対してはｎ４以上が用いられることになる。
【００６５】
従って、例えば、サブフレーム＃１をＦａｋｅ  ＭＢＳＦＮサブフレームを適用したＥｘｔｅｎｄｅｄ  Ｃｅｌｌ  ＤＴＸモードに移行させる場合、MBSFN-SubframeConfigのsubframeAllocationでoneFrameを用いた上で、サブフレーム＃１をＭＢＳＦＮサブフレームと設定し、radioframeAllocationPeriodはｎ１と設定することになる。
【００６６】
［参考非特許文献１］3GPP TS 36.331 V9.2.0 (2010-03), "3rd Generation Partnership Project; Technical Specification Group Radio Access Network; Evolved Universal Terrestrial Radio Access (E-UTRA); Radio Resource Control (RRC); Protocol specification (Release 9)"
【００６７】
＜基地局の構成及び動作＞
図８は、第２の実施形態における基地局３００の構成を示すブロック図である。基地局３００は、図４に示した第１の実施形態の基地局１００と比べて、設定部３０１、制御部３０２、ＣＳＩ−ＲＳ生成部３０５、配置部３０７の動作が異なるものである。その他の構成は第１の実施形態と同様であり、ここでは説明を省略する。
【００６８】
第２の実施形態において特徴的な基地局３００の動作について説明する。設定部３０１は、通常時（通常モード）とＥｘｔｅｎｄｅｄ  Ｃｅｌｌ  ＤＴＸ実行時（Ｅｘｔｅｎｄｅｄ  Ｃｅｌｌ  ＤＴＸモード）のそれぞれにおける、ＣＳＩ−ＲＳの配置情報を含む設定情報を出力する。制御部３０２は、設定部３０１からの設定情報に基づき、各モードに応じたＣＳＩ−ＲＳ送信に関する動作制御を行う。制御部３０２は、通常モードからＥｘｔｅｎｄｅｄ  Ｃｅｌｌ  ＤＴＸモードに移行する際には、ＭＢＳＦＮサブフレームとなるサブフレーム番号を知らせるための制御情報を配置部３０７に出力し、ＭＢＳＦＮサブフレームに移行するサブフレーム番号のみを上位レイヤの制御信号として送信し、端末に通知する。
【００６９】
ＣＳＩ−ＲＳ生成部３０５は、設定部３０１から入力される設定情報に基づき、通常時とＥｘｔｅｎｄｅｄ  Ｃｅｌｌ  ＤＴＸ実行時のそれぞれの場合におけるＣＳＩ−ＲＳを生成する。配置部３０７は、通常時には、サブフレーム＃１、＃２、＃３、＃４、＃６、＃７、＃８、＃９において、同じサブフレーム内で最も近接しているセル同士のＣＳＩ−ＲＳを直交させて多重し、それ以外の離れたセル同士のＣＳＩ−ＲＳを別のサブフレームで多重する。また、配置部３０７は、Ｅｘｔｅｎｄｅｄ  Ｃｅｌｌ  ＤＴＸ実行時には、サブフレーム＃１、＃２、＃３、＃６、＃７、＃８に多重していたＣＳＩ−ＲＳのうち、ＭＢＳＦＮサブフレームに移行するサブフレームについては、当該サブフレーム内の相対的ＣＳＩ−ＲＳ多重配置を保ったまま、サブフレーム＃４または＃９にＣＳＩ−ＲＳを移して多重する。
【００７０】
＜端末（移動局）の構成及び動作＞
図９は、第２の実施形態における端末４００の構成を示すブロック図である。端末４００は、図５に示した第１の実施形態の端末２００と比べて、分離部４０５、ＣＳＩ−ＲＳ受信空間情報推定部４０７、設定情報受信部４１７の動作が異なるものである。その他の構成は第１の実施形態と同様であり、ここでは説明を省略する。
【００７１】
第２の実施形態において特徴的な端末４００の動作について説明する。分離部４０５は、ＦＦＴ部２０４から入力される信号より、設定情報を含む上位レイヤの制御信号を取得し、設定情報受信部４１７に出力する。設定情報受信部４１７は、分離部４０５から入力される制御信号から、ＣＳＩ−ＲＳの配置情報を含む設定情報を読み取り、分離部４０５に出力する。さらに、設定情報受信部４１７は、ＣＳＩ−ＲＳを受信復調するための逆拡散用符号などの設定情報をＣＳＩ−ＲＳ受信空間情報推定部４０７に出力する。
【００７２】
分離部４０５は、ＦＦＴ部２０４から入力される周波数領域の信号を、１つ以上前のサブフレームで受信した設定情報に基づいて分離し、ＣＳＩ−ＲＳを取得してＣＳＩ−ＲＳ受信空間情報推定部４０７に出力する。この際、分離部４０５は、通常時とＥｘｔｅｎｄｅｄ  Ｃｅｌｌ  ＤＴＸ実行時のそれぞれの場合において、基地局による各サブフレームへのＣＳＩ−ＲＳのマッピングに応じてＣＳＩ−ＲＳを取得し、ＣＳＩ−ＲＳ受信空間情報推定部４０７に出力する。
【００７３】
ＣＳＩ−ＲＳ受信空間情報推定部４０７は、通常時とＥｘｔｅｎｄｅｄ  Ｃｅｌｌ  ＤＴＸ実行時のそれぞれの場合において、設定情報受信部４１７から入力されるＣＳＩ−ＲＳの設定情報を用いて、分離部４０５から入力されるＣＳＩ−ＲＳにより、基地局から自装置に送信された下り回線の空間情報推定を行う。
【００７４】
図１０は、通常時からＥｘｔｅｎｄｅｄ  Ｃｅｌｌ  ＤＴＸ実行時へ移行する際の各サブフレームへのＣＳＩ−ＲＳの配置の遷移例を示す図である。この図１０では、通常モードでＣＳＩ−ＲＳを送信するフレームが、徐々にＦａｋｅ  ＭＢＳＦＮサブフレームを用いたＥｘｔｅｎｄｅｄ  Ｃｅｌｌ  ＤＴＸモードに移行する様子について、その際のサブフレームとセル配置の対応と併せて示している。なお、ここでは図中六角形で示す１つのマクロセル１７１は、１つのｅＮＢが構成する複数のセクタセル、あるいはＲＲＨ（Remote Radio Head）のように小送信電力セルなどからなる５つ程度の個別のセルで構成されるものとし、１つのマクロセル１７１内のセルのＣＳＩ−ＲＳが同じサブフレーム内で直交多重されているものとする。よって、１つのサブフレーム内には５個程度のＣＳＩ−ＲＳが多重される。また、図１０においてマクロセル１７１に記載した番号（＃１など）は、フレーム中のどのサブフレームを用いてＣＳＩ−ＲＳを送信しているかを示す。            
【００７５】
図１０の上段に示す通常時は、異なるマクロセル１７１同士のＣＳＩ−ＲＳも互いに別のサブフレームで送信されているため、互いに直交している。ここで、Ｅｘｔｅｎｄｅｄ  Ｃｅｌｌ  ＤＴＸモードへの移行時に、サブフレーム＃４と＃９にＣＳＩ−ＲＳを移動する際に、同じサブフレーム内に多重するＣＳＩ−ＲＳはなるべく隣接するマクロセル１７１同士のＣＳＩ−ＲＳにならないようにするのが望ましい。このため、図１０の中段に示すＥｘｔｅｎｄｅｄ  Ｃｅｌｌ  ＤＴＸモードへの移行初期は、サブフレーム＃２と＃３、及び＃７と＃８のＣＳＩ−ＲＳを優先的にサブフレーム＃４と＃９に移行させる。この場合、４サブフレームがＦａｋｅ  ＭＢＳＦＮサブフレームを用いたＥｘｔｅｎｄｅｄ  Ｃｅｌｌ  ＤＴＸモードに入っているにも関わらず、隣接するマクロセル１７１同士は、異なるサブフレーム同士でＣＳＩ−ＲＳを多重することができている。このようにすることによって、ＣＳＩ−ＲＳ同士の干渉増大量を小さく抑えることができる。また、トータルのＣＳＩ−ＲＳ多重数は通常時と何ら変わらず維持できている。
【００７６】
そして、図１０の下段に示すように、さらにＥｘｔｅｎｄｅｄ  Ｃｅｌｌ  ＤＴＸモードへの移行を進める場合は、サブフレーム＃１と＃６のＣＳＩ−ＲＳもサブフレーム＃４と＃９に移してＣＳＩ−ＲＳをマッピングさせる。この場合、各マクロセル１７１内のＣＳＩ−ＲＳの直交性は保たれており、また、Ｅｘｔｅｎｄｅｄ  Ｃｅｌｌ  ＤＴＸモードを最大限進める（間欠通信の割合を高める）ということは、端末数が少ないことが想定されるため、ＣＳＩ−ＲＳ同士の干渉が大きな問題にならないと考えられる。
【００７７】
第２の実施形態によれば、同じセル内のＣＳＩ−ＲＳの直交性を維持したまま、セル間のＣＳＩ−ＲＳの直交性を犠牲にすることで、複数セルにおけるＣＳＩ−ＲＳの多重数を確保しつつ、大きな他セル干渉を与える直近の隣接セル同士は、ＣＳＩ−ＲＳの直交性を保つことができる。この際、直近のセル以外のセル同士のＣＳＩ−ＲＳは直交性を保つことができない場合が生じるが、距離が離れたセル同士であるため、大きな干渉を与えることはない。また、ＣＳＩ−ＲＳの配置の移行に関して、基地局から端末に複雑なマッピング情報を送らなくても、Ｅｘｔｅｎｄｅｄ  Ｃｅｌｌ  ＤＴＸモードに移行後もＣＳＩ−ＲＳを受信できる。
【００７８】
（第３の実施形態）
第３の実施形態は、追加の参照信号であるＣＳＩ−ＲＳの配置の第３例を示すものであり、ＣＳＩ−ＲＳの多重数の確保及びセル間のＣＳＩ−ＲＳの干渉軽減を図るために、Ｅｘｔｅｎｄｅｄ  Ｃｅｌｌ  ＤＴＸモードに移行する際に、複数のフレームに跨ってＣＳＩ−ＲＳを配置するようにしたものである。
【００７９】
第３の実施形態では、第２の実施形態と同様に、Ｅｘｔｅｎｄｅｄ  Ｃｅｌｌ  ＤＴＸを行わない通常時に、直近の隣接しているセル同士はサブフレーム＃０、＃５以外の同じサブフレームにＣＳＩ−ＲＳを直交させて（別のＲＥを使って）多重し、それ以外の離れたセル同士は別のサブフレームでＣＳＩ−ＲＳを多重する。そして、Ｅｘｔｅｎｄｅｄ  Ｃｅｌｌ  ＤＴＸモードに移行する際のＣＳＩ−ＲＳのマッピングルールとして、同じフレーム内のサブフレーム＃４または＃９だけでなく、隣のフレームなども利用し、複数のフレームのサブフレーム＃４または＃９に移行することを定義しておく。すなわち、ＣＳＩ−ＲＳをサブフレーム＃４または＃９に配置する際、同じフレーム内だけでなく、他のフレームにも分散する。
【００８０】
図１１は、第３の実施形態におけるＥｘｔｅｎｄｅｄ  Ｃｅｌｌ  ＤＴＸ実行時の複数フレームにおいてＣＳＩ−ＲＳを送信するサブフレームの配置例を示す図である。図１１では、複数のフレームに跨ってＣＳＩ−ＲＳのマッピングを行う例として、２フレームに跨る例を示している。ここで、第１フレームのフレーム前半について、サブフレーム＃１，＃３のＣＳＩ−ＲＳは第１フレームの＃４に移して集約し、サブフレーム＃２，＃４のＣＳＩ−ＲＳは第２フレームの＃４に移して集約する。第１フレームのフレーム後半も同様に、サブフレーム＃６，＃８のＣＳＩ−ＲＳは第１フレームの＃９に移して集約し、サブフレーム＃７，＃９のＣＳＩ−ＲＳは第２フレームの＃９に移して集約する。この場合、あるセルのＣＳＩ−ＲＳを送信する間隔は大きくなるが、Ｅｘｔｅｎｄｅｄ  Ｃｅｌｌ  ＤＴＸモードに入るということは、端末数が少ないことが想定され、それほど頻繁にＣＳＩ−ＲＳを送信しなくても問題ないと考えられる。
【００８１】
ＭＢＳＦＮサブフレームに移行するサブフレーム番号については、第２の実施形態と同様、上位レイヤの制御信号であるRRC information elementsのＳＩＢ２に含まれるMBSFN-SubframeConfigで通知すればよい。MBSFN-SubframeConfigにおいて、subframeAllocationとして、ＭＢＳＦＮサブフレームとなるサブフレームを通知する。ここで、Ｅｘｔｅｎｄｅｄ  Ｃｅｌｌ  ＤＴＸモードへの移行時に、図１１のように２フレームに跨ってＣＳＩ−ＲＳの集約を行う場合、MBSFN-SubframeConfigのsubframeAllocationでoneFrameを用いた上で、サブフレーム＃１，＃２，＃３，＃６，＃７，＃８をＭＢＳＦＮサブフレームと設定し、radioframeAllocationPeriodはｎ１と設定することになる。但し、これだけでは、端末はＭＢＳＦＮサブフレームに移行するサブフレームはわかるが、ＣＳＩ−ＲＳがどのフレームのサブフレーム＃４または＃９に集約されるのかがわからない。すなわち、第２の実施形態の動作と区別がつかないため、ＣＳＩ−ＲＳを集約する際に跨るフレーム数についても別途通知する。
【００８２】
＜基地局の構成及び動作＞
図１２は、第３の実施形態における基地局５００の構成を示すブロック図である。基地局５００は、図４に示した第１の実施形態の基地局１００と比べて、設定部５０１、制御部５０２、ＣＳＩ−ＲＳ生成部５０５、配置部５０７の動作が異なるものである。その他の構成は第１の実施形態と同様であり、ここでは説明を省略する。
【００８３】
第３の実施形態において特徴的な基地局５００の動作について説明する。設定部５０１は、通常時（通常モード）とＥｘｔｅｎｄｅｄ  Ｃｅｌｌ  ＤＴＸ実行時（Ｅｘｔｅｎｄｅｄ  Ｃｅｌｌ  ＤＴＸモード）のそれぞれにおける、ＣＳＩ−ＲＳの配置情報を含む設定情報を出力する。制御部５０２は、設定部５０１からの設定情報に基づき、各モードに応じたＣＳＩ−ＲＳ送信に関する動作制御を行う。制御部５０２は、通常モードからＥｘｔｅｎｄｅｄ  Ｃｅｌｌ  ＤＴＸモードに移行する際には、ＭＢＳＦＮサブフレームに移行するサブフレーム番号を知らせるための制御情報を配置部５０７に出力し、ＭＢＳＦＮサブフレームに移行するサブフレーム番号とＣＳＩ−ＲＳを集約するフレーム数を上位レイヤの制御信号として送信し、端末に通知する。
【００８４】
ＣＳＩ−ＲＳ生成部５０５は、設定部５０１から入力される設定情報に基づき、通常時とＥｘｔｅｎｄｅｄ  Ｃｅｌｌ  ＤＴＸ実行時のそれぞれの場合におけるＣＳＩ−ＲＳを生成する。配置部５０７は、通常時には、サブフレーム＃１、＃２、＃３、＃４、＃６、＃７、＃８、＃９において、同じサブフレーム内で最も近接しているセル同士のＣＳＩ−ＲＳを直交させて多重し、それ以外の離れたセル同士のＣＳＩ−ＲＳを別のサブフレームで多重する。また、配置部５０７は、Ｅｘｔｅｎｄｅｄ  Ｃｅｌｌ  ＤＴＸ実行時には、サブフレーム＃１、＃２、＃３、＃４、＃６、＃７、＃８、＃９に多重していたＣＳＩ−ＲＳのうち、ＭＢＳＦＮサブフレームに移行するサブフレームについては、当該サブフレーム内の相対的ＣＳＩ−ＲＳ多重配置を保ったまま、複数フレームに跨ってサブフレーム＃４または＃９にＣＳＩ−ＲＳを移して多重する。
【００８５】
＜端末（移動局）の構成及び動作＞
図１３は、第３の実施形態における端末６００の構成を示すブロック図である。端末６００は、図５に示した第１の実施形態の端末２００と比べて、分離部６０５、ＣＳＩ−ＲＳ受信空間情報推定部６０７、設定情報受信部６１７の動作が異なるものである。その他の構成は第１の実施形態と同様であり、ここでは説明を省略する。
【００８６】
第３の実施形態において特徴的な端末６００の動作について説明する。分離部６０５は、ＦＦＴ部２０４から入力される信号より、設定情報を含む上位レイヤの制御信号を取得し、設定情報受信部６１７に出力する。設定情報受信部６１７は、分離部６０５から入力される制御信号から、ＣＳＩ−ＲＳの配置情報を含む設定情報を読み取り、分離部６０５に出力する。さらに、設定情報受信部６１７は、ＣＳＩ−ＲＳを受信復調するための逆拡散用符号などの設定情報をＣＳＩ−ＲＳ受信空間情報推定部６０７に出力する。
【００８７】
分離部６０５は、ＦＦＴ部２０４から入力される周波数領域の信号を、１つ以上前のサブフレームで受信した設定情報に基づいて分離し、ＣＳＩ−ＲＳを取得してＣＳＩ−ＲＳ受信空間情報推定部６０７に出力する。この際、分離部６０５は、通常時とＥｘｔｅｎｄｅｄ  Ｃｅｌｌ  ＤＴＸ実行時のそれぞれの場合において、基地局による各サブフレームへのＣＳＩ−ＲＳのマッピングに応じてＣＳＩ−ＲＳを取得し、ＣＳＩ−ＲＳ受信空間情報推定部６０７に出力する。
【００８８】
ＣＳＩ−ＲＳ受信空間情報推定部６０７は、通常時とＥｘｔｅｎｄｅｄ  Ｃｅｌｌ  ＤＴＸ実行時のそれぞれの場合において、設定情報受信部６１７から入力されるＣＳＩ−ＲＳの設定情報を用いて、分離部６０５から入力されるＣＳＩ−ＲＳにより、基地局から自装置に送信された下り回線の空間情報推定を行う。
【００８９】
第３の実施形態によれば、第２の実施形態の動作を一部変更し、複数のフレームに跨ってＣＳＩ−ＲＳのマッピングを拡張することで、複数セルにおけるＣＳＩ−ＲＳの多重数を大きくでき、時間的直交性を確保しつつ必要なＣＳＩ−ＲＳを多重できる。
【００９０】
なお、上述した第２の実施形態及び第３の実施形態では、Ｅｘｔｅｎｄｅｄ  Ｃｅｌｌ  ＤＴＸモードでない場合（通常モードの場合）、ＣＳＩ−ＲＳは、サブフレーム＃０と＃５以外の全てのサブフレームで送信されるという前提で説明しているが、実際には、送信可能なサブフレーム全てでＣＳＩ−ＲＳを送らない場合もある。その場合、Ｅｘｔｅｎｄｅｄ  Ｃｅｌｌ  ＤＴＸモードに移行後のことを考慮して、予め、ＣＳＩ−ＲＳを下記のいずれかのように配置、送信する。
【００９１】
（１）：ＣＳＩ−ＲＳを送信する場合は、まず、サブフレーム＃４または＃９を優先的に用いて送信する。サブフレーム＃４または＃９だけではサブフレームが不足する場合に、他のサブフレーム（＃１〜３，＃６〜８）でも必要なサブフレーム数のみ使用してＣＳＩ−ＲＳを送信する。但し、この場合、Ｅｘｔｅｎｄｅｄ  Ｃｅｌｌ  ＤＴＸモードの実行時にＦａｋｅ  ＭＢＳＦＮサブフレームに移行するのは、ＣＳＩ−ＲＳを送信していないサブフレームからとする。
【００９２】
（２）：（１）と同様に、ＣＳＩ−ＲＳを送信する場合に、サブフレーム＃４または＃９を優先的に用いて送信する。ここで、ＣＳＩ−ＲＳがそれぞれのセルにおいて２０ｍｓあるいは４０ｍｓ間隔で送信される場合は、ＣＳＩ−ＲＳグループ毎に、なるべく異なるフレームのサブフレーム＃４または＃９で送信する。そして、（１）と同様に、サブフレーム＃４または＃９だけではサブフレームが不足する場合に、他のサブフレームでもＣＳＩ−ＲＳを送信し、Ｆａｋｅ  ＭＢＳＦＮサブフレームに移行するのは、ＣＳＩ−ＲＳを送信していないサブフレームからとする。
【００９３】
（３）：（１）または（２）とは逆に、ＣＳＩ−ＲＳを送信する場合に、サブフレーム＃４または＃９以外のサブフレーム（＃１〜３，＃６〜８）を優先的に用いて送信する。Ｆａｋｅ  ＭＢＳＦＮサブフレームへの移行は、サブフレーム（＃１〜３，＃６〜８）のうち、ＣＳＩ−ＲＳを送信していないサブフレームから行い、その後、ＣＳＩ−ＲＳを送信しているサブフレームの移行を行う。
【００９４】
（４）：（３）と同様に、ＣＳＩ−ＲＳを送信する場合に、サブフレーム＃４または＃９以外のサブフレーム（＃１〜３，＃６〜８）を優先的に用いて送信する。Ｆａｋｅ  ＭＢＳＦＮサブフレームへの移行は、サブフレーム＃４または＃９と同じ数だけのＣＳＩ−ＲＳを送信しているサブフレームから行い、その後、ＣＳＩ−ＲＳを送信していないサブフレームに対して行う。
【００９５】
なお、上記実施形態では、ＭＢＳＦＮサブフレームになりえないサブフレーム＃４と＃９に集約して送信するものとして、ＣＳＩ−ＲＳについて説明したが、これに限らず、他の信号をサブフレーム＃４と＃９に集約させるとしてもよい。例えば、ＰＤＳＣＨ、あるいはこのＰＤＳＣＨに含まれる上位レイヤのシグナリング等に適用してもよい。
【００９６】
なお、Ｅｘｔｅｎｄｅｄ  Ｃｅｌｌ  ＤＴＸモードの場合でなくても、当該サブフレームがＭＢＳＦＮサブフレームになる場合は、自動的にサブフレーム＃４または＃９にＣＳＩ−ＲＳ等を集約するとしてもよい。そもそも、端末は本当のＭＢＳＦＮサブフレームかＦａｋｅ  ＭＢＳＦＮサブフレームかの区別はつかないため、基地局は、いずれの場合でもＭＢＳＦＮサブフレームに移行することを通知するのみである。
【００９７】
なお、Ｅｘｔｅｎｄｅｄ  Ｃｅｌｌ  ＤＴＸモードに移行するくらいであれば、伝送信号の空間多重数もそれほど多くなくてもよいと考えられるため、８送信アンテナも不要な場合に４送信アンテナに集約するとしてもよい。この場合、使用できるサブフレームが増えるため、複数セルにおけるＣＳＩ−ＲＳの多重数を増やすことができる。
【００９８】
なお、サブフレーム間隔を１０から変更し、３または７の間隔にして、隣接セル間でＣＳＩ−ＲＳの送信タイミングを変えてもよい。但し、ＢＣＨやＳＩＢに該当するサブフレームでは送信しない。この場合、ＣＳＩ−ＲＳに加わる他セル干渉が様々なパターンになり、平均化した場合に、より他セルの影響を加味した測定（回線推定、空間情報推定など）を行いやすいという効果が得られる。
【００９９】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。また、発明の趣旨を逸脱しない範囲で、上記実施形態における各構成要素を任意に組み合わせてもよい。
【０１００】
なお、上記実施形態ではアンテナとして説明したが、アンテナポートでも同様に適用できる。アンテナポート（antenna port）とは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。例えばＬＴＥにおいては、アンテナポートが何本の物理アンテナから構成されるかは規定されず、基地局が異なる参照信号（Reference signal）を送信できる最小単位として規定されている。また、アンテナポートはプリコーディングベクトル（Precoding vector）の重み付けを乗算する最小単位として規定されることもある。
【０１０１】
上記各実施形態では、本発明をハードウェアで構成する場合を例にとって説明したが、本発明はソフトウェアで実現することも可能である。
【０１０２】
また、上記各実施形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１０３】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１０４】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１０５】
本開示に係る実施形態の種々の態様として、以下のものが含まれる。
【０１０６】
通信回線の空間伝搬路の状態を推定するために用いる参照信号を生成する参照信号生成部と、少なくとも時間軸上に分割配置された複数のサブフレームを有してなるフレームにおいて、前記複数のサブフレームのうちの、前記参照信号を送信不可であるサブフレームを除いたサブフレームであり、間欠通信を行う場合に間欠通信適用サブフレームになりうるサブフレーム以外のサブフレームに、前記参照信号を配置する配置部と、前記配置された参照信号を含む送信信号を送信する送信部と、を備える無線通信装置。
また、上記の無線通信装置であって、前記参照信号は、複数のセルよりそれぞれ送信されて、１つの端末において各セルからの通信回線の空間伝搬路の状態を推定するために受信される信号であるものを含む。
これにより、間欠通信による省電力効果を損うことなく、通信回線の空間伝搬路の状態を推定するために用いる参照信号を配置して送信することが可能になる。
【０１０７】
また、上記の無線通信装置であって、前記フレームは、サブフレーム＃０からサブフレーム＃９までの１０個のサブフレームを有して構成され、前記配置部は、前記参照信号を送信不可であるサブフレーム＃０及び＃５を除き、前記間欠通信適用サブフレームになりうるサブフレーム以外のサブフレーム＃４と＃９の少なくとも一方に、前記参照信号を配置するものを含む。
これにより、サブフレーム＃４と＃９を用いて参照信号を送信することで、複数のセルよりそれぞれ参照信号を送信する際に、間欠通信による省電力効果を損うことなく、セル間直交性を保ったまま参照信号を多重して送信することが可能になる。
【０１０８】
また、上記の無線通信装置であって、前記配置部は、前記間欠通信を行わない時には、前記間欠通信適用サブフレームになりうるサブフレームを含めて前記参照信号を配置し、前記間欠通信を行う時には、前記間欠通信適用サブフレームとなるサブフレーム以外のサブフレームに前記参照信号を配置するものを含む。
これにより、複数のセルにおいて多重可能な参照信号の数を確保することが可能になる。
【０１０９】
また、上記の無線通信装置であって、前記配置部は、前記間欠通信を行わない時には、近接するセル同士では同じサブフレームで多重するとともに前記近接するセル以外のセル同士では異なるサブフレームで多重するように、前記参照信号を互いに直交させて配置し、前記間欠通信を行う時には、同じサブフレーム内の直交性を維持したまま、前記間欠通信適用サブフレームとなるサブフレームから前記間欠通信適用サブフレームになりうるサブフレーム以外のサブフレームに、前記参照信号を移して配置するものを含む。
これにより、複数のセルにおいて多重可能な参照信号の数を確保しつつ、大きな他セル干渉を与える可能性のある近接するセル同士では、参照信号の直交性を保つことが可能になる。
【０１１０】
また、上記の無線通信装置であって、前記フレームは、サブフレーム＃０からサブフレーム＃９までの１０個のサブフレームを有して構成され、前記配置部は、前記間欠通信を行わない時には、前記参照信号を送信不可であるサブフレーム＃０及び＃５を除いたサブフレーム＃１、＃２、＃３、＃４、＃６、＃７、＃８、＃９のうちの少なくともいずれか１つに、前記参照信号を配置し、前記間欠通信を行う時には、前記間欠通信適用サブフレームとなるサブフレームに関して、前記間欠通信適用サブフレームになりうるサブフレーム以外のサブフレーム＃４と＃９の少なくとも一方に、前記参照信号を配置するものを含む。
これにより、複数のセルにおいて多重可能な参照信号の数を確保しつつ、大きな他セル干渉を与える可能性のある近接するセル同士、特に直近の隣接セル同士では、参照信号の直交性を保つことが可能になる。
【０１１１】
また、上記の無線通信装置であって、前記配置部は、前記間欠通信を行う時に前記間欠通信適用サブフレームとなるサブフレーム以外のサブフレームに前記参照信号を配置する場合に、他のフレームにおける前記間欠通信適用サブフレームになりうるサブフレーム以外のサブフレームにも配置するものを含む。
また、上記の無線通信装置であって、前記配置部は、前記間欠通信を行う時に前記サブフレーム＃４と＃９の少なくとも一方に前記参照信号を配置する場合に、他のフレームにおけるサブフレーム＃４と＃９の少なくとも一方にも配置するものを含む。
これにより、参照信号を配置するサブフレームを異なるフレームまで拡張することで、例えば複数セル間で送信する参照信号の数が多い場合でも、時間的直交性を確保しつつ、必要な数の参照信号を多重可能になる。
【０１１２】
また、上記の無線通信装置であって、前記間欠通信を行う時に、前記配置部が前記参照信号を前記間欠通信適用サブフレームとなるサブフレーム以外のサブフレームに配置する場合、前記間欠通信適用サブフレームとなるサブフレーム番号を通信相手装置である端末に通知する制御部を備えるものを含む。
これにより、間欠通信適用サブフレームとなるサブフレーム番号を通知するのみで、詳細なマッピング情報を通信相手に送らなくても、参照信号を配置するサブフレームを互いに認知することが可能になる。このため、複雑なマッピング情報を送らなくても、受信側では、間欠通信に移行した後も参照信号を受信し、抽出することが可能である。
【０１１３】
通信回線の空間伝搬路の状態を推定するために用いる参照信号が含まれる信号を受信する受信部と、前記参照信号の配置情報に基づき、前記受信した信号から、少なくとも時間軸上に分割配置された複数のサブフレームを有してなるフレームにおいて、前記複数のサブフレームのうちの、前記参照信号を送信不可であるサブフレームを除いたサブフレームであり、間欠通信を行う場合に間欠通信適用サブフレームになりうるサブフレーム以外のサブフレームに配置された、前記参照信号を分離する分離部と、分離された前記参照信号に基づき、前記空間伝搬路の状態を推定する空間推定部と、を備える無線通信装置。
これにより、受信した参照信号に基づき、通信回線の空間情報推定を行い、送信側の無線通信装置に報告する空間情報を生成することが可能になる。この際、セルラーシステムにおける複数のセルよりそれぞれ送信されてセル間で多重された参照信号を受信した場合、現在通信中のセルの無線通信装置、及びその周辺のセルの無線通信装置に報告する空間情報を生成することが可能である。
【０１１４】
また、上記の無線通信装置であって、前記参照信号は、通信回線の空間伝搬路の周波数特性情報を推定するために用いられるＣＳＩ−ＲＳであるものを含む。
また、上記の無線通信装置であって、前記間欠通信適用サブフレームは、Ｅｘｔｅｎｄｅｄ  Ｃｅｌｌ  ＤＴＸによる間欠通信において利用されるＭＢＳＦＮサブフレームであるものを含む。
これにより、ＬＴＥ−Ａにおいて検討されているＥｘｔｅｎｄｅｄ  Ｃｅｌｌ  ＤＴＸを行って省電力化を図る場合に、間欠通信による省電力効果を損うことなく、ＣＳＩ−ＲＳを配置して送信することが可能になる。
【０１１５】
通信回線の空間伝搬路の状態を推定するために用いる参照信号を生成し、少なくとも時間軸上に分割配置された複数のサブフレームを有してなるフレームにおいて、前記複数のサブフレームのうちの、前記参照信号を送信不可であるサブフレームを除いたサブフレームであり、間欠通信を行う場合に間欠通信適用サブフレームになりうるサブフレーム以外のサブフレームに、前記参照信号を配置し、前記配置された参照信号を含む送信信号を送信する、無線通信方法。
【０１１６】
通信回線の空間伝搬路の状態を推定するために用いる参照信号が含まれる信号を受信し、前記参照信号の配置情報に基づき、前記受信した信号から、少なくとも時間軸上に分割配置された複数のサブフレームを有してなるフレームにおいて、前記複数のサブフレームのうちの、前記参照信号を送信不可であるサブフレームを除いたサブフレームであり、間欠通信を行う場合に間欠通信適用サブフレームになりうるサブフレーム以外のサブフレームに配置された、前記参照信号を分離し、分離された前記参照信号に基づき、前記空間伝搬路の状態を推定する、伝搬路推定方法。
【０１１７】
本出願は、２０１０年６月１６日出願の日本特許出願（特願2010-137339）に基づくものであり、その内容はここに参照として取り込まれる。
【産業上の利用可能性】
【０１１８】
本発明は、省電力効果を維持しつつ、ＣＳＩ−ＲＳ等の追加の参照信号を送信可能にすることができるという効果を有し、例えば、ＬＴＥ−Ａにおいて検討されているセル間協調送受信を行うための無線通信装置及び無線通信方法等として有用である。
【符号の説明】
【０１１９】
１００、１６１、１６２、１６３、３００、５００  基地局（セル）
１０１、３０１、５０１  設定部
１０２、３０２、５０２  制御部
１０４  ＣＲＳ生成部
１０５、３０５、５０５  ＣＳＩ−ＲＳ生成部（参照信号生成部）
１０６、２０９  変調部
１０７、２１１、３０７、５０７  配置部
１０８、２１２  ＩＦＦＴ部
１０９、２１３  ＣＰ付加部
１１０−１〜１１０−Ｍ、２１４−１〜２１４−Ｎ  送信ＲＦ部
１１１−１〜１１１−Ｍ、２０１−１〜２０１−Ｎ  アンテナ
１１２、２１９  分配部
１５１、２００、４００、６００  端末
１７１  マクロセル
２０２−１〜２０２−Ｎ  受信ＲＦ部
２０３  ＣＰ除去部
２０４  ＦＦＴ部
２０５、４０５、６０５  分離部
２０６  ＣＲＳ受信回線推定部
２０７、４０７、６０７  ＣＳＩ−ＲＳ受信空間情報推定部（空間推定部）
２０８  ＰＤＳＣＨ受信部
２１０  ＤＦＴ部
２１５  回線品質情報生成部
２１６  空間情報生成部
２１７、４１７、６１７  設定情報受信部
２１８  集約部
２２０−１〜２２０−Ｎ  ＲＦブロック
【図１】
2014147093.tif 000003
【図２】
2014147093.tif 000004
【図３】
2014147093.tif 000005
【図４】
2014147093.tif 000006
【図５】
2014147093.tif 000007
【図６】
2014147093.tif 000008
【図７】
2014147093.tif 000009
【図８】
2014147093.tif 000010
【図９】
2014147093.tif 000011
【図１０】
2014147093.tif 000012
【図１１】
2014147093.tif 000013
【図１２】
2014147093.tif 000014
【図１３】
2014147093.tif 000015
【図１４】
2014147093.tif 000016
【図１５】
2014147093.tif 000017
【図１６】
2014147093.tif 000018
【図１７】
2014147093.tif 000019
【図１８】
2014147093.tif 000020
【図１９】
2014147093.tif 000021
【図２０】
2014147093.tif 000022
【図２１】
2014147093.tif 000023